【手続補正書】
【提出日】平成20年2月19日(2008.2.19)
【手続補正１】
【補正対象書類名】明細書
【補正対象項目名】特許請求の範囲
【補正方法】変更
【補正の内容】
【特許請求の範囲】
【請求項１】
商品の抽選に応募した複数の応募者に関する応募者特定情報とその応募総数及び販売予定数を記憶した記憶手段を備えるコンピュータであり、前記コンピュータは、前記応募総数と前記販売予定数とに基づいて抽選処理を行う手段と、前記応募者が当選者か落選者かを判断し前記応募者に特典を付与する際に前記落選者には前記当選者よりも有利な特典を付与する手段とを備えることを特徴とする特典付与のためのコンピュータ。
【請求項２】
前記コンピュータは、商品の販売に関する情報を取得するための情報取得手段から顧客が商品の抽選に応募する情報を特定するための商品特定情報と前記応募者特定情報とを受信する手段を備えることを特徴とする請求項１記載の特典付与のためのコンピュータ。
【請求項３】
前記コンピュータは、付与した特典に関する情報を応募者の前記情報取得手段に送信する手段を備えることを特徴とする請求項１乃至２記載の特典付与のためのコンピュータ。
【請求項４】
前記記憶手段は、当選確率と所定の付与特典が対応付けられている特典付与情報を記憶する手段を備え、前記コンピュータは、前記応募総数及び前記販売予定数から当選確率を算出しその当選確率に基づいて前記特典付与情報を検索し対応する付与特典を抽出しその付与特典を前記落選者に付与する手段を備えることを特徴とする請求項１乃至３記載の特典付与のためのコンピュータ。
【請求項５】
前記特典付与情報は、当選確率が高くなるにつれて落選者に付与する特典も有利なものとなることを特徴とする請求項４記載の特典付与のためのコンピュータ。
【請求項６】
落選者に通知する付与した特典に関する情報には、当選者に対して付与される特典に関する情報及び／又は当選確率が含まれていることを特徴とする請求項４乃至５記載の特典付与のためのコンピュータ。
【請求項７】
商品の抽選に応募した複数の応募者に関する応募者特定情報とその応募総数及び販売予定数を記憶した記憶手段を備えるコンピュータを、前記応募総数と前記販売予定数とに基づいて抽選処理を行う手段、前記応募者が当選者か落選者かを判断し前記応募者に特典を付与する際に前記落選者には前記当選者よりも有利な特典を付与する手段として機能させることを特徴とする特典付与のためのコンピュータプログラム。
【請求項８】
前記コンピュータを、商品の販売に関する情報を取得するための情報取得手段から顧客が商品の抽選に応募する情報を特定するための商品特定情報と前記応募者特定情報とを受信する手段として機能させることを特徴とする請求項７記載の特典付与のためのコンピュータプログラム。
【請求項９】
前記コンピュータを、付与した特典に関する情報を応募者の前記情報取得手段に送信する手段として機能させることを特徴とする請求項７乃至８記載の特典付与のためのコンピュータプログラム。
【請求項１０】
前記記憶手段を、当選確率と所定の付与特典が対応付けられている特典付与情報を記憶する手段として機能させ、前記コンピュータを、前記応募総数及び前記販売予定数から当選確率を算出しその当選確率に基づいて前記特典付与情報を検索し対応する付与特典を抽出しその付与特典を前記落選者に付与する手段として機能させることを特徴とする請求項７乃至９記載の特典付与のためのコンピュータプログラム。
【請求項１１】
前記特典付与情報は、当選確率が高くなるにつれて落選者に付与する特典も有利なものとなることを特徴とする請求項１０記載の特典付与のためのコンピュータプログラム。
【請求項１２】
落選者に通知する付与した特典に関する情報には、当選者に対して付与される特典に関する情報及び／又は当選確率が含まれていることを特徴とする請求項１０乃至１１記載の特典付与のためのコンピュータプログラム。
【請求項１３】
商品の抽選に応募した複数の応募者に関する応募者特定情報とその応募総数及び販売予定数を記憶した記憶手段を備えるコンピュータが、前記応募総数と前記販売予定数とに基づいて抽選処理を行うステップと、前記応募者が当選者か落選者かを判断し前記応募者に特典を付与する際に前記落選者には前記当選者よりも有利な特典を付与するステップとから構成されることを特徴とする特典付与方法。
【請求項１４】
前記コンピュータが、商品の販売に関する情報を取得するための情報取得手段から顧客が商品の抽選に応募する情報を特定するための商品特定情報と前記応募者特定情報とを受信するステップとから構成されることを特徴とする請求項１３記載の特典付与方法。
【請求項１５】
前記コンピュータが、付与した特典に関する情報を応募者の前記情報取得手段に送信するステップとから構成されることを特徴とする請求項１３乃至１４記載の特典付与方法。
【請求項１６】
前記記憶手段が、当選確率と所定の付与特典が対応付けられている特典付与情報を記憶するステップとから構成され、前記コンピュータが、前記応募総数及び前記販売予定数から当選確率を算出するステップと、その当選確率に基づいて前記特典付与情報を検索し対応する付与特典を抽出するステップと、その付与特典を前記落選者に付与するステップとから構成されることを特徴とする請求項１３乃至１５記載の特典付与方法。
【請求項１７】
前記特典付与情報は、当選確率が高くなるにつれて落選者に付与する特典も有利なものとなることを特徴とする請求項１６記載の特典付与方法。
【請求項１８】
落選者に通知する付与した特典に関する情報には、当選者に対して付与される特典に関する情報及び／又は当選確率が含まれていることを特徴とする請求項１６乃至１７記載の特典付与方法。
【手続補正２】
【補正対象書類名】明細書
【補正対象項目名】０００４
【補正方法】変更
【補正の内容】
【０００４】
【課題を解決するための手段】
本発明は、例えば、次のような手段を備えるコンピュータ、コンピュータを次のような手段として機能させるコンプータプログラム、コンピュータが次のようなステップから構成される方法である。
（１）商品の抽選に応募した複数の応募者に関する応募者特定情報とその応募総数及び販売予定数を記憶した記憶手段を備えるコンピュータであり、前記コンピュータは、前記応募総数と前記販売予定数とに基づいて抽選処理を行う手段と、前記応募者が当選者か落選者かを判断し前記応募者に特典を付与する際に前記落選者には前記当選者よりも有利な特典を付与する手段とを備える。
（２）前記コンピュータは、商品の販売に関する情報を取得するための情報取得手段から顧客が商品の抽選に応募する情報を特定するための商品特定情報と前記応募者特定情報とを受信する手段を備える。
（３）前記コンピュータは、付与した特典に関する情報を応募者の前記情報取得手段に送信する手段を備える。
（４）前記記憶手段は、当選確率と所定の付与特典が対応付けられている特典付与情報を記憶する手段を備え、前記コンピュータは、前記応募総数及び前記販売予定数から当選確率を算出しその当選確率に基づいて前記特典付与情報を検索し対応する付与特典を抽出しその付与特典を前記落選者に付与する手段を備える。
（５）前記特典付与情報は、当選確率が高くなるにつれて落選者に付与する特典も有利なものとなる。
（６）落選者に通知する付与した特典に関する情報には、当選者に対して付与される特典に関する情報及び／又は当選確率が含まれている。